(57)【要約】      （修正有）【課題】携帯型電子装置用の、電気エネルギー源、好ましくはボタン型バッテリを取り付けるためのデバイスを提供すること。【解決手段】本デバイスは、カバー１４によって閉じられる、エネルギー源１００のためのハウジングを含む。このハウジングは、その周縁部付近に、エネルギー源をハウジング内で軸方向に保持するように変形させることのできる舌状部５を含む。さらに、カバーには、ハウジングの周縁部とエネルギー源を停留させる舌状部との間に配置された、ハウジング内に突き出ている壁面１５が含まれる。したがって、エネルギー源がハウジング内に配置されているときには、カバーの壁面が、特に激しい衝撃を受けたときに、舌状部を確実にエネルギー源に当てて適切に保持する。【選択図】図２
2004200171.tif 000002
【特許請求の範囲】
【請求項１】
携帯型電子装置内に電気エネルギー源を取り付けるためのデバイスであって、前記エネルギー源（１００）を受けることのできるハウジング（３、４４）と、前記ハウジング（３、４４）を閉じるカバー（１４、４９）とを含んでおり、前記ハウジングがその周縁部付近にエネルギー源を停留させる手段（５、３２）を有しており、その手段（５、３２）が、前記エネルギー源（１００）を前記ハウジング（３、４４）内で保持する少なくとも第１の位置を有しており、
前記カバー（１４、４９）が、前記停留手段（５、３２）とハウジング（３、４４）の周縁部との間に配置させるように形成された、前記ハウジング（３、４４）内に突き出る保持手段（１５、５０）を有しており、前記保持手段（１５、５０）が前記停留手段（５、３２）を前記第１の位置で保持することを特徴とするデバイス。
【請求項２】
前記ハウジング（３、４４）が、底部（６、４２）の反対側に位置する外側を向いた開孔（４）を含んでおり、前記停留手段が、前記ハウジング（３、４４）の前記底部（６、４２）からその開孔（４）に向かって延びる変形可能な舌状部（５、３２）を含んでおり、前記舌状部（５、３２）のそれぞれの末端部が曲がり部分（９、３７）を含んでおり、前記曲がり部分（９、３７）が、前記開孔（４）の側に向いた、前記エネルギー源（１００）の１つの面（１０３）上に配置可能な支持域を形成することを特徴とする請求項１に記載の取付けデバイス。
【請求項３】
前記舌状部（５、３２）が弾性体であり、前記保持手段が、前記カバー（１４、４９）の周縁部の方に配置された環状の壁面（１５、５０）を含み、前記舌状部（５、３２）に当ててそれらを前記ハウジング（３、４４）の内側の方向に変形させることのできる支持域を有することを特徴とする請求項２に記載の取付けデバイス。
【請求項４】
前記エネルギー源ハウジング（３、４４）がほぼ円筒形であり、前記舌状部（５、３２）の末端部によって形成される開孔の寸法がエネルギー源（１００）の寸法よりも小さいことを特徴とする請求項３に記載の取付けデバイス。
【請求項５】
前記エネルギー源ハウジング（３、４４）がその周縁部に配置された隆起部分（１８、５２）を含んでおり、前記カバー（１４、４９）が前記隆起部分（１８、５２）と協働して前記カバーを前記ハウジングにスナップ嵌めさせることのできる手段（１９、５１）を含むことを特徴とする請求項３または４に記載の取付けデバイス。
【請求項６】
前記スナップ嵌め手段が、前記環状の壁面（１５、５０）の外側表面上に作製された前記隆起部分（１８）と協働可能なノッチ（１９、５１）を含むことを特徴とする請求項５に記載の取付けデバイス。
【請求項７】
前記舌状部（５、３２）のそれぞれが、その外側表面の近接部分（７）付近に配置された隆起部分（１８）を含んでおり、前記カバー（１４）が、一連の前記隆起部分（１８）と協働して前記カバーを前記ハウジング（３）にスナップ嵌めさせることのできる手段（１９）を含むことを特徴とする請求項３または４に記載の取付けデバイス。
【請求項８】
前記スナップ嵌め手段が、前記環状の壁面（１５）の内側表面の下部に作製された、一連の前記隆起部分（１８）と共に協働可能なノッチ（１９）を含む請求項７に記載の取付けデバイス。
【請求項９】
前記エネルギー源停留手段（５）または舌状部が、前記エネルギー源ハウジング（３）と一体に作製されており、前記ハウジングがプラスチック材料の成形によって得られることを特徴とする請求項１ないし８のいずれかに記載の取付けデバイス。
【請求項１０】
舌状部（５）の各末端部（１１）が、前記ハウジング（３）内でのエネルギー源の挿入を容易にするように丸みを帯びていることを特徴とする請求項１ないし９のいずれかに記載の取付けデバイス。
【請求項１１】
前記エネルギー源（１００）がボタンバッテリ・タイプであるときに、前記舌状部（３２）が、導電性材料製で、さらに前記バッテリ（１００）の縁部（１０２）および／または前記開孔を向いた前記バッテリの面（１０３）との電気的接触機能を果たしており、前記舌状部が前記電子装置の電子回路に向かう接続手段に接続されていることを特徴とする請求項３に記載の取付けデバイス。
【請求項１２】
導電性材料製であって、前記舌状部（３２）のための支持体の働きをし、前記バッテリ（１００）ハウジング（４４）の底部に配置されたほぼ平らなプレート（３０）と、電気絶縁材料製であって、前記ハウジングに固定された中間要素（４２）とを含んでおり、前記中間要素がまた、前記ハウジング（４４）の底部を向いているバッテリ（１００）の面（１０１）のための支持面（４８）を少なくとも部分的に形成し、前記プレート（３０）から前記ハウジングを絶縁するために設けられていることを特徴とする請求項１１に記載の取付けデバイス。
【請求項１３】
前記中間要素（４２）が、前記プレート（３０）が固定される場所を含んでおり、前記中間要素がさらに、前記プレート（３０）の平面（３１）に対して突き出ている、バッテリ・ハウジングの開孔を向いたバッテリのための前記支持域を形成する要素（４８）を含むことを特徴とする請求項１２に記載の取付けデバイス。
【請求項１４】
静止時に前記舌状部（３２）の末端部によって形成される開孔の寸法が、バッテリ（１００）の横方向寸法よりも大きいことを特徴とする請求項１１ないし１３のいずれかに記載の取付けデバイス。
【請求項１５】
前記バッテリ（１００）ハウジング（４４）が、その周縁部に配置された隆起部分（５２）を含んでおり、カバー（４９）の前記環状の壁面（５０）がさらに、その外側表面上に作製された、前記隆起部分（５２）と協働して前記カバー（４９）を前記ハウジング（４４）内にスナップ嵌めさせることのできるノッチ（５１）を含むことを特徴とする請求項１１ないし１４のいずれかに記載の取付けデバイス。
【請求項１６】
前記カバー（１４、４９）と前記ハウジング（３、４４）との間の密封性を確実にする手段（１３、５６）を含むことを特徴とする請求項１ないし１５のいずれかに記載の取付けデバイス。
【請求項１７】
前記ハウジング（３、４４）が外側を向いた開口部（４）を含んでおり、前記カバー（１４、４９）が、前記開口部（４）よりも大きい横方向寸法を有する補強プレート（６４）を含むことを特徴とする請求項１ないし１６のいずれかに記載の取付けデバイス。
【請求項１８】
前記補強プレート（６４）が金属製で、前記カバー（１４、４９）の内部に少なくとも部分的にオーバーモールドされていることを特徴とする請求項１７に記載の取付けデバイス。
【請求項１９】
バッテリなどの電気エネルギー源（１００）によって電力供給される電子回路を含む電子装置であって請求項１ないし１８のいずれかに記載の、前記電気エネルギー源を取り付けるためのデバイスを含むことを特徴とする電子装置。
【請求項２０】
請求項５が請求項３に従属するときの請求項１ないし３または５ないし１８のいずれかに記載の取付けデバイス内にバッテリなどの電気エネルギー源を取り付ける方法であって、
ａ）電極を取付けデバイスに向けてエネルギー源（１００）を設置するステップと、
ｂ）エネルギー源（１００）を、ハウジングの方向のほぼ直線的な平行移動だけを含む動きを介して、前記取付けデバイスのエネルギー源ハウジング（４４）内に下ろすステップと、
ｃ）前記エネルギー源（１００）ハウジング（４４）の開孔内にカバー（４９）を設置するステップとを含むことを特徴とする方法。
【請求項２１】
請求項４に記載の取付けデバイス内にバッテリなどの電気エネルギー源を取り付ける方法であって、
ａ）電極を取付けデバイスに向けてエネルギー源（１００）を設置するステップと、
ｂ）エネルギー源（１００）を、ハウジングの方向のほぼ直線的な平行移動だけを含む動きを介して、前記取付けデバイスのバッテリ・ハウジング（３）内に配置された舌状部（５）の末端部（１１）上に下ろすステップと、
ｃ）前記エネルギー源（１００）上に圧力をかけて、前記エネルギー源をハウジング（３）内に降下させるステップと、
ｄ）前記エネルギー源ハウジング（３）の開孔（４）内にカバー（１４）を設置するステップとを含むことを特徴とする方法。
【発明の詳細な説明】
【技術分野】
【０００１】
本発明は、携帯型電子デバイス内に、電気エネルギー源、特にボタン型バッテリを取り付けるためのデバイスに関する。
【０００２】
より精確には、本発明は、携帯型電子装置内に電気エネルギー源を取り付けるためのデバイスに関し、このデバイスは、開孔を通じてエネルギー源を受けることのできるハウジングとその開孔を閉じるカバーとを含んでおり、このハウジングがその円周領域にエネルギー源を停留させる手段を有し、この手段が前記エネルギー源をハウジング内で保持する少なくとも第１の位置を有する。
【０００３】
また、本発明は、電気エネルギー源、好ましくはボタン型バッテリによって電力供給される電子回路と、前述のような、前記エネルギー供給源を取り付けるためのデバイスとを含む電子装置に関する。
【０００４】
さらに、本発明は、同じタイプの取付けデバイスに電気エネルギー源を取り付ける方法に関する。
【背景技術】
【０００５】
従来技術には、バッテリ取付けデバイスに関する多数の文献がある。
【０００６】
２００１年１０月１８日に公開された国際特許出願ＷＯ０１／７７７６０Ａ１は、電子時計ケース内にボタン型電池を取り付けるためのデバイスを開示している。具体的には、このデバイスには、プラスチック材料から成形されたほぼ円筒形のハウジングと、時計の背面上への開口部とが含まれる。ハウジングの周縁部には、底部から開口部に向かって延び、好ましくはハウジングと一体に成形された舌状部が含まれる。各舌状部の末端領域には、バッテリがハウジング内に取り付けられたときに、開口部の側部を向いたバッテリの面上に支持域を形成する曲がり部分が設けられている。取付けは、舌状部を弾性変形させることによって達成される。
【０００７】
この解決策は、バッテリがハウジング内で軸方向に効果的に保持されるよう保証する十分な大きさの表面積の支持域をもつように、１つの舌状部の曲がり部分が舌状部の一方の縁部から他方に向かって広がっていることを条件とすることに留意すべきである。
【０００８】
しかし、この特定の構造には、バッテリをハウジング内に導入するために、バッテリをハウジングの開孔を通じて斜めに挿入しなければならないという１つの欠点がある。したがって、この挿入を自動組立てラインで実施するのは困難である。
【０００９】
さらに、前述の国際特許出願に記載されている構造には、衝撃を受けたときにバッテリの保持が不完全になるという危険につながる他の欠点がある。衝撃が十分に激しい場合、時計の構成要素に比べて比較的質量の大きいバッテリが、ある方向に突き出して、弾性の舌状部を変形させ、ハウジングから外れることがある。このような場合、バッテリが不慮に移動した結果として、第一に、時計への電力供給が中断される危険がある。
【００１０】
前述の国際特許出願で提供されているこの問題の１つの解決策は、ハウジング内でのバッテリの保持を改善することである。この目的で、ある特定の実施形態では、舌状部の曲がり部分の上部にスナッグ（snug）が設置されており、これらのスナッグがカバーまたは底部と協働して、舌状部をほぼバッテリの方向に変形させる。これによって、衝撃を受けたときに、バッテリがそのハウジング内でより良好に保持される。
【００１１】
しかし、バッテリがひどく動くと、特に、ハウジングを閉じているカバー、あるいは前述の文献の場合には時計の背面カバーが、例えばネジ留めされて、またはネジによって保持されて、ケースにしっかりと固定されていないときには、さらなる問題を引き起こすことがある。バッテリが、舌状部から離れて、ハウジングのカバーに当たって突き出し、ハウジングの時計ケースへの固定を損なうことがある。耐水性の時計の場合、このことが時計の耐水性を不完全なものにすることがある。さらに、衝撃力によっては、カバーがそのハウジングから完全に離れて失われることもある。舌状部の変形を防ぐためにスナッグを設ける実施形態では、バッテリから舌状部にかなりの力が加わり、それが時計ケースの外側に向かって直接カバーへと伝わるので、この問題が適切に克服されない。したがって、この場合にもやはりカバーがハウジングから離れることがある。
【特許文献１】国際特許出願ＷＯ０１／７７７６０Ａ１
【発明の開示】
【発明が解決しようとする課題】
【００１２】
本発明の目的は、ハウジング内でのバッテリの保持を改善し、衝撃を受けた後でバッテリが急激に動いてカバーまたは背面カバーがバッテリ・ハウジング内の所定の位置から離れるのを防ぐことによって、前述した従来技術の欠点を克服することである。
【課題を解決するための手段】
【００１３】
したがって、本発明は、前述のタイプのエネルギー源を取り付けるためのデバイスに関し、カバーが停留手段とハウジングの周縁部との間に配置するように意図された保持手段を有しており、この保持手段がエネルギー源停留手段をその第１の位置に保持することを特徴とする。
【００１４】
これらの保持手段により、バッテリ停留手段は、本明細書で従来技術について前述したように、衝撃を受けて変形することがない。さらに、カバー上に配置された保持手段が、バッテリ・ハウジングの高さ方向には作用しないが、横方向には作用するので、ハウジングからカバーを押し出す傾向にあるバッテリの急激な動きが保持手段に横方向の力を加えることになる。したがって、カバーが外れる危険がない。
【００１５】
バッテリをハウジング内に停留させる手段には、有利には、ハウジングの周縁部に配置された複数の弾性舌状部が含まれる。これらの各舌状部が、その末端付近に短い曲がり部分を含んでいて、この曲がり部分が、ハウジングの開孔を向いたバッテリの面に当接可能な支持域を形成することが好ましい。
【００１６】
さらにカバー保持手段が、壁面の形、バッテリがボタン型の場合には環状の壁面の形に作製され、カバーをハウジング内に位置決めしたときに弾性舌状部の外側表面に対して係合することが好ましい。壁面の寸法は、ハウジングを閉じたときに、舌状部をバッテリに向かってわずかに押し戻す傾向にある横方向の力が壁面から舌状部へと加わるように調節される。
【００１７】
ハウジングを閉じる手段がクリップ付きカバーによって形成される、すなわちスナップ嵌めによってハウジングに固定される特殊な場合に対応する好ましい実施形態では、カバーの保持壁面には、また、ハウジングの周縁部上に作製された適切な隆起部分と協働可能なスナップ嵌め手段も含まれる。
【００１８】
また、バッテリを停留させる舌状部が追加的な機能を果たす、すなわちバッテリの端子との電気的な接点を構築する、代替的な実施形態も提供される。そのような場合、舌状部は弾性特性を有する導電性材料で作製される。
【００１９】
本発明の他の特徴および利点は、非限定的な例として与える添付の図面を参照して以下の詳細な説明を読めば、より明らかになろう。
【発明を実施するための最良の形態】
【００２０】
一般に、すべての図面では、以下の説明を明確にするために、本発明の理解に必要な要素だけが示されている。
【００２１】
図１は、第１の実施形態による携帯型電子装置用のバッテリ取付けデバイス１００を示しており、容易に理解されるようにデバイスが分解図で示されている。
【００２２】
このデバイスは、基部２を含んでおり、ここではそれが完全に別個の部品として示されているが、携帯型電子装置用のケースの一部にすることができる。基部２は、ハウジング３を含んでおり、ここではそれが、非限定的な説明のために、円形の開孔４を有する円筒形状で示されている。
【００２３】
舌状部５は、ハウジング３の周縁部上に、規則的に離隔して配置されている。各舌状部５は、近接部７によってハウジングの底部６に連結され、近接部７から開孔４に向かって垂直に延びており、ほぼ直線状の断面をもった部分８の厚さが近接部７の厚さよりも小さくなっている。各舌状部の末端は、開孔４のそばの近接部では曲がり部分９になっている。
【００２４】
各舌状部５が、長さ方向で、一定曲率の概ね湾曲した形状であり、すべての舌状部５がハウジング３の円周に従ってそれぞれ延びており、上方から見たときに概ね円形となっていることに留意すべきである。
【００２５】
また、一方で、近接部７の領域には、各舌状部５の内側表面に面取り部１０があり、他方で、曲がり部分９には、ほぼ丸くされた断面の末端部１１があることにも留意する。
【００２６】
ハウジング３の周縁部には、Ｏリング・ジョイント１３を受けることのできる肩部１２を形成する環状のリセスがある。
【００２７】
取付けデバイスは、さらに閉鎖手段を含んでおり、ここでは非限定的にカバー１４で表されている。あるいは閉鎖手段を、既に従来技術で公知のように、ハウジング３だけでなく携帯型電子装置のケースも閉じる背面カバーの形態にすることもできる。
【００２８】
図１では、カバー１４が、ハウジング３の内側を向く面から突き出ている環状の形をした壁面１５を有することに留意されたい。環状の壁面１５の機能について、図２を参照してさらに説明する。
【００２９】
図２は、図１に示す取付けデバイスの、舌状部５を通ってハウジングの直径に沿って切った断面図を示しており、バッテリ１００がそのハウジング３の内側に配置され、カバーがハウジングの開孔４内の所定の位置に置かれている。
【００３０】
バッテリ１００およびハウジング３の寸法は、それぞれ、ハウジング３がバッテリ１００を受けることのできるようなものであり、バッテリ１００の内側の面１０１がハウジング３の底部６に接し、バッテリ１００の縁部１０２が舌状部５の内側表面に接している（図２に見ることができる）。
【００３１】
あるいは、ハウジング３の底部６と共に成形されたバッテリの位置決め／支持スタッド（図示せず）を設けることもでき、場合によってはこれを圧縮可能材料で作製して、バッテリに大きな摩擦力を与え、バッテリが回動するのを防ぐようにすることができる。
【００３２】
また、バッテリ１００がそのハウジング３内にあるときには、舌状部５の曲がり部分９が、カバー１４の方を向いているバッテリの面１０３に接することにも留意されたい。これによって、バッテリが、ハウジング３の底部６に当てられた所定の位置でしっかりと保持される。
【００３３】
ハウジング３は、その周縁部に、一方ではハウジングの周縁部分によって、他方では舌状部５によって形成される環状の溝１６を含む。したがって、バッテリ１００がハウジング３内に位置決めされるときには、可撓性の舌状部５を溝１６に向かって変形させることができる。実際、図１および図２に示すように、舌状部５は、基部２とハウジング３の成形時に、弾性特性を有することが好ましいプラスチック材料の成形によって得られる。したがって、ハウジング３、舌状部５、およびバッテリ１００を所定の寸法にして、バッテリの面１０１を舌状部の曲がり部分９上に位置決めし、その後バッテリの面１０３にハウジングの底部６の方向に圧力をかけることによって、バッテリがハウジング３に導入される。
【００３４】
バッテリの面１０１と縁部１０２との間の接合域には、丸みを帯びた部分１０４があり、これが、バッテリからハウジングの底部６に向かって圧力がかかったときに舌状部５の丸みを帯びた末端部１１と協働する。この動作の間に、舌状部の曲がり部分９が同時にハウジング３の周縁部に向かって押し戻され、舌状部５を溝１６内へと弾性変形させて、バッテリをハウジング３に挿入させる。
【００３５】
バッテリ１００がハウジング３の底部に係合した後には、図２に示すように、舌状部５がそれぞれその弾性によって初めの位置に戻り、バッテリ１００をハウジング３内で確実に保持する。
【００３６】
Ｏリング・ジョイント１３がハウジング３の周縁部のところで肩部１２上に予め位置決めされているので、カバー１４がハウジングの開孔４内に設置される。
【００３７】
次いで、カバー１４の環状の壁面１５を溝１６内に係合させる。壁面は、その内側表面が舌状部５の外側表面に接して位置決めされ、ハウジング３の内側に向かって逆方向に押す力を舌状部５に加えるような寸法をしている。さらに、壁面の外側表面がＯリング・ジョイント１３に当てられており、これがハウジングの耐水性に貢献することに留意されたい。また、このようにして取り付けられたアセンブリは、高いレベルの剛性を示す。図２では、舌状部５およびＯリング・ジョイント１３と接する壁面１５のそれぞれの当接域が、カバー１４からほぼ同じ距離にあり、この距離がやはり小さいことに留意されたい。
【００３８】
また、ハウジング３内にカバー１４を固定するシステムも設けられている。各舌状部５には、その近接部７の外側表面上に、舌状部の一方の縁部から他の縁部まで延びる隆起部分１８が設けられている。壁面１５の内側表面上にはリセスがあり、これが、壁面の末端付近に位置し、壁面の円周全体にわたって延びるノッチ１９を形成している。したがって、カバー１４がハウジング３内に配置されると、すべての隆起部分１８とノッチ１９とが互いに向き合った位置になり、それらが協働して、カバー１４をスナップ嵌めによってハウジング３内に固定する。
【００３９】
結果として、バッテリ１００をハウジング３から離れさせようとする激しい衝撃を受けた場合に、舌状部がハウジングの周縁部に向かう径方向力を受けるが、カバー１４の壁面１５によって構築された障壁があるので変形しない。さらに、この障壁自体が、Ｏリング・ジョイント１３を介してハウジングの周縁部を圧迫する壁面によって間接的に補強されているので、バッテリ１００の急激な動きによって伝達される過剰な機械エネルギーが吸収される。また、このような衝撃の状況で、カバー１４にそれをハウジング３から押し出そうとする力が加わらないので、特に耐水性の見地から、ここに記載しているバッテリ取付けデバイスについて高いレベルの信頼性が保証されることにも留意すべきである。
【００４０】
ハウジング３内にカバー１４を固定する手段については、代替的に、ハウジング３の周縁部上に隆起部分１８を配置し、壁面１５の外側表面上にカバーのノッチ１９を配置することもできる。
【００４１】
バッテリ極の電気的接続手段は、従来のようにして得られ、本発明には特別に寄与しないので、記載または図示されていないことに留意すべきである。前記手段を実装する際に、当業者が特別な困難に直面することはない。一例として、第１の電導性接触ストリップを設けることができ、その一端が舌状部５とバッテリ１００の縁部１０２との間に配置され、ストリップの第２端部が、携帯型装置の電子回路に接続された第１電気伝導経路に接続される。また、第２の導電性接触ストリップも設けることができ、その第１端部がバッテリ１００の内側の面１０１とハウジングの底部６との間に配置され、ストリップの第２端部が、やはり携帯型装置の電子回路に接続された第２電気伝導経路に接続される。
【００４２】
さらに、バッテリ・ハウジングだけを閉じるカバーでなく、携帯型電子装置のケースを閉じるための背面カバー（図示せず）を実装する、代替的な実施形態を提供することができる。そのような場合、背面カバーには、バッテリ・ハウジング内に突き出るように配置された、前述したのと同様の壁面を設ける。ただし、前述した構造の実装では、背面カバーをハウジングから容易に外すことができるとき、言い換えれば、背面カバーが、例えばネジ留めされていないとき、またはネジによって保持されていないときにしか、そのすべての利点が現れない。ハウジングから押し出されにくいネジ留め式背面カバーの場合、前述の実施形態による構造によって、バッテリをそのハウジング内で保持する信頼性が向上し、したがって衝撃を受けたときの携帯型装置の電子回路への電力供給の信頼性が向上する。
【００４３】
図３および図４は、携帯型電子装置内にバッテリを取り付けるためのデバイスの第２の実施形態を示しており、バッテリを停留させる手段は、第１の実施形態について記載したのと同様のものであり、さらにバッテリ１００の極の１つへの携帯型装置の電子回路の電気的接続を確実にしている。バッテリ１００が図１および図２について記載したのと同じタイプのものであるので、それらに関する参照番号が引き続き使用されている。
【００４４】
この実施形態による、バッテリ１００を停留させるために使用される手段の主要要素が、より明確にするために、図３に単独で示されている。
【００４５】
この主要要素は、弾性特性を有する導電性材料製、好ましくは銅などの金属製または真鍮などの合金製のプレート３０の形をしている。プレート３０には、平たい、概ね円盤形の主要部３１が含まれ、プレートの周縁部全体にわたって同一の５つの舌状部３２が規則的に配置されている。
【００４６】
各舌状部３２は、主要部３１の拡張部から延びて、第２の直線状部分３５との接合部を形成する曲がり部分３４まで続く第１部分３３を有する。各直線状部分３５は、一例として、主要部３１に対して実質的に９０度を超える角度となるように配置されている。より一般的には、各直線状部分３５と主要部３１との間に形成される角度は８０度〜１００度に入るようにすることができる。各直線状部分３５は、舌状部３２の短い第３部分３７との接合部を構築する、主要部３１の中心の方向を向いた、もう１つの曲がり部分３６に続いている。一連の舌状部３２の第３部分３７は、プレート３０の主要部３１の平面に平行なほぼ同一の平面内にある。
【００４７】
図３では、プレート３０の主要部３１が、各舌状部３２の第１部分３３に面した穴３８を含むことが観察される。また、プレートの主要部３１には、さらなる穴３９も見ることができる。
【００４８】
穴３８および３９のそれぞれの機能について、図４ａおよび４ｂの記述に関連して以下で説明する。
【００４９】
さらに、各直線状部分３５は、その中央にリセス４０を含んでおり、その内部にわずかにプレート３０の内側に曲がって延びるほぼ直線状のラグ４１がある。同様に、これらのラグ４１の機能について、図４ａおよび４ｂに関連して以下で説明する。
【００５０】
図４ａおよび４ｂから、この実施形態によるバッテリ取付けデバイスの働きをよりよく理解することができる。これらの図では、図３に関して記載したプレート３０が、取付けデバイス内に取り付けられた状態で示されている。
【００５１】
プレート３０は、好ましくはプラスチック材料の成形によって作製されるスペーサ４２を形成する中間部に固定的に取り付けられている。プレート３０は、当業者に公知のいずれかの手段によってスペーサ４２に固定することができる。ここに示す例では、スペーサ４２が複数のスタッド４３（図４では１つしか見ることができない）を備えており、スタッドの断面の直径がプレート３０の穴３８の直径よりもわずかに小さい。したがって、このデバイスを取り付けるときには、スペーサ４２のスタッド４３を穴３９内に取り付けてから熱溶接して、図に見られるようなリベット型の最終構造にする。
【００５２】
プレート３０を支持するスペーサ４２によって形成されたアセンブリは、携帯型電子デバイスの基部４５内に配置されたバッテリ・ハウジング４４の内部に配置される。この目的で、この図には、スペーサおよびプレートを携帯型電子装置の内側から挿入できるように基部４５内に設けられた円筒形の開口部４６が示されている。開口部４６は、ハウジング４４の内側の境界を成す環状の肩部４７まで広がっており、その上にスペーサ４２が隣接して、ハウジング４４に対して軸方向の固定位置で保持されている。
【００５３】
図４ａでは、プレート３０の舌状部３２が静止位置で実質的に分かれるように、すなわち、それらが主要部３１に対して９０度をわずかに超える角度を成している様子が示されている。ここで示す特定の場合に、この構成では、舌状部３２の曲がり部分の末端によって形成される開口部が、バッテリ１００よりも大きな直径を有することに留意されたい。この特徴があるので、バッテリ１００を単純にスペーサ４２の上部に下ろすことによって、ハウジングの対称軸Ｘと同じ方向の直線的な平行移動だけを含む移動により、バッテリ１００をハウジング４４内に挿入することができる。言うまでもなく、第１の実施形態について記載したように、舌状部によって形成される開口部の直径をさらに小さくして、バッテリを挿入するときに舌状部を弾性変形させるようにすることができる。このような場合、ハウジングの底部上にバッテリを挿入するには、前述した事例に対し、バッテリを単純にそれらの上部に下ろした後でバッテリを圧迫して舌状部を変形させる追加的なステップを含めなければならない。
【００５４】
スペーサ４２には、さらに、ハウジング４４に対するバッテリ１００の軸方向位置をほぼ規制する、バッテリ１００のための支持面４８が含まれる。
【００５５】
バッテリ１００がハウジング４４内の所定の位置にきたら、第１の実施形態に関して記載したカバー１４と同様の形状を有するカバー４９によってハウジングを閉じることができる。カバー４９には、環状の壁面５０が設けられており、この壁面が、ハウジング４４内でカバー４９を固定し、舌状部３２をバッテリ１００に当てて保持するという、二重の機能を果たすように配置されている。
【００５６】
この目的で、壁面５０の自由端には、ハウジング４４の円周上に配置された隆起部分５２と協働するように意図された、ハウジング４４の周縁部の方向にノッチ５１を形成する短い曲がり部分が設けられている。
【００５７】
さらに、壁面５０の内側表面には、カバー４９から、ノッチ５１を形成する曲がり端部に向かって２つの部分があり、第１部分５３は、ハウジング４４の軸Ｘにほぼ平行であり、第２部分５４は、軸Ｘに対し、ハウジングの周縁に向かってわずかに傾斜している。図４ａから、ノッチ５１のところの壁面の内径が舌状部３２によって形成される開口部の直径よりも実質的に大きくなるように、壁面５０の第２部分５４の傾斜が調節されるのが好ましいことが明らかである。したがって、カバー４９がハウジング４４の上方に置かれるときには、縁部５０の第２部分５４が各舌状部３２の曲がり部分３６に接触して、案内面の働きをする。さらに、第２部分５４が傾斜しているので、カバー４９がハウジング４４内へと下がるほど、舌状部３２がハウジングの軸Ｘの方向に弾性変形する。
【００５８】
カバー４９がハウジング４４内に設置されるときには、やはり壁面５０が弾性変形してノッチ５１を隆起部分５２の下に移動させ、舌状部３２がそれらのそれぞれの内側表面およびラグ４１を介して、バッテリ１００の縁部１０２に当たる。この構成を、図４ｂに見ることができる。これで、壁面５０の第１部分５３によって支持されるので、舌状部がこの閉じた位置に保持される。
【００５９】
次に、各舌状部３２の短い第３部分３７が、カバー４９を向いているバッテリの面１０３に当接して配置され、それによってバッテリ１００をハウジング４４内で確実に軸方向に停留させている様子が観察される。
【００６０】
プレート３０が好ましくは板金材料のスタンピングによって得られるので、図４ｂに明確に示されているように、バッテリ１００をハウジング４４内で確実に機械的に保持することに加えて、舌状部３２が、バッテリ１００の極（通常は正極、面１０３および縁部１０２上で接近可能）との電気的接続を構築している。
【００６１】
さらに、図３に関して前述したラグ４１の特定の形状が、事前にハウジング４４の内側に向かって形成されているので、舌状部３２とバッテリ１００の縁部１０２との間の適切な接触を保証する。
【００６２】
また、プレート３０と携帯型電子装置の電子回路との間の電気的接続を構築する、追加的な手段（図示せず）も設けられる。
【００６３】
ハウジング４４の底部を向いているバッテリの面１０１を介して接触可能な、バッテリ１００の第２極への電気的接続手段が非限定的な例として示されている。これらの接続手段には、例えば、第１端部（図示せず）を介して携帯型電子装置の電子回路に接続された、導電性材料製のコイル型のバネ５５が含まれる。バネ５５の第２端部は、バッテリ１００の面１０１に接触して置かれており、バネが、プレート３０の穴３９（図３に示す）を通り、スペーサ４２内に配置された、穴３９に面する同様の穴（図示せず）を通って延びている。
【００６４】
この実施形態の構造によって確約されるハウジング４４内でのバッテリ１００の停留の質が、第１の実施形態のそれに匹敵することに留意すべきである。したがって、激しい衝撃を受けたときに、バッテリ１００およびカバー４９は、図１および図２について前述した構造の場合と同じ有効性でハウジング４４内に保持される。
【００６５】
またさらに、カバー４９が所定の位置に配置されたときに、カバー４９と隆起部分５２との間の圧縮によってハウジング４４の耐水性が確実になるように、壁面５０の周りにＯリング・ジョイント５６が配置されていることにも留意すべきである。
【００６６】
本明細書で前述した実施形態と同じように、ここに記載しているバッテリ取付けデバイスをケース内に実装することができ、携帯型電子装置のケースが背面カバーによって閉じられ、それがまたバッテリ・ハウジングも閉じる。この場合、バッテリ・ハウジングの反対側に置かれる背面カバーの面上に、壁面５０と同じタイプの壁面を配置しなければならない。
【００６７】
図５は、第２の実施形態に関して記載したタイプのカバーに適用される、本発明の変形形態によるカバー６０を示す。やはり言うまでもなく、この変形形態も、第１の実施形態に関して記載したタイプのカバーと共に実装することができる。
【００６８】
カバー６０は、同心環状の２つの壁面６１および６２を含んでおり、これらがそれぞれ図４ａおよび４ｂに関して記載したカバー５０によって果たされる２つの機能のうちの１つを果たす。内側の壁面６１は、図４ａおよび４ｂのラグ３２と同様のラグ（図示せず）のための案内面の機能を果たし、バッテリをそのハウジング内に停留させる。外側の壁面６２は、その自由端に、バッテリ・ハウジング（参照せず）の周縁部を向いたノッチ６３を含んでおり、これが前述したのと同様の方式で、ハウジングの周縁部上に配置された膨らみと協働する。
【００６９】
さらに、図５では、カバー６０がカバーの剛性を向上させる補強プレート６４をさらに含む。好ましくは、補強プレート６４を金属プレートにすることができ、従来のオーバーモールド・プロセスを介して、カバーを形成するプラスチック材料中に埋め込むことができる。
【００７０】
明確にするために、図５では、バッテリ・ハウジングの基部４５（図４ａ参照）しか示していない。本発明のこの変形形態によるカバーの重要な特徴の１つをこの図に見ることができる。その特徴は、補強プレート６４の横方向寸法が、バッテリ・ハウジングの開口部のそれよりも大きいという事実にある。したがって、カバーがバッテリ・ハウジング内の所定の位置に配置されると、補強プレートが間接的に基部４５に隣接した位置に配置される。
【００７１】
この特定の特徴により、カバー６０は、明らかな変形を起こさず、したがってバッテリ・ハウジングの耐水性に影響を及ぼさずに、外部環境からの高い圧力に耐えることができる。
【００７２】
したがって、カバー６０は、通常、ダイビング・ウォッチ・タイプの時計のためのバッテリ・ハウジングの密閉性を確保し、数百メートルの深度についてバッテリ・ハウジングの耐水性を保証する。
【００７３】
前述の、本発明による２つの実施形態の例の記載事項から、電子装置内にバッテリを取り付けるこの装置の構造によって、電子装置の組立て時の自動バッテリ取付けを容易に想定できるようになることが明らかである。実際、第１の実施形態の場合、単にバッテリを舌状部の上部に下ろしてから、ハウジング方向にバッテリにわずかな圧力をかけてバッテリを所定の位置に配置し、その後ハウジングをカバーで閉じればよい。第２の実施形態の場合には、バッテリを所定の位置に配置するのがさらに単純になり、バッテリをハウジング内に降下させるのに、前述の圧力さえも必要ない。バッテリをハウジング内に下ろす操作は、外部環境からハウジングの内部に向かって単純に直線的に平行移動させることによって実現することができる。この特定の特徴は、特に電子装置の大規模製造の範囲で、ある種の経済的利点を有する。
【００７４】
前述の説明は、好ましい実施形態に対応するものであって、特に取付けデバイスを形成する様々な構造要素について記載した形状またはそれらの材料の点で、決して制限的なものと考えるべきではない。例えばバッテリ停留手段について、本発明を実施するのに必要な機械的特性を有する他のいずれかの材料を選択する際に、当業者が特別な困難に直面することはない。同様に、いずれかの実施形態に記載した舌状部の数は、限定的なものではない。当業者は、第１の実施形態については特に舌状部の長さとその弾性との間、第２の実施形態については特に舌状部の数とバッテリの適正な保持との間の良好な妥協点を維持するように注意して、様々な数の舌状部を実装することができる。
【００７５】
本発明は、例えば電子腕時計など、特に手または手首上に装着される、いずれのタイプの携帯型電子装置にも実施できるので、このようなバッテリ取付けデバイスには非常に多くの数の応用例が考えられる。
【図面の簡単な説明】
【００７６】
【図１】本発明の第１の好ましい実施形態によるバッテリ取付けデバイスの分解斜視図である。
【図２】図１に示す取付けデバイスの組み立てられた状態の鉛直断面図である。
【図３】本発明の第２の好ましい実施形態によるバッテリ停留手段の斜視図である。
【図４ａ】図３の第２の実施形態に対応するバッテリ取付けデバイスの、カバーがバッテリ・ハウジングに係合していない状態の断面図である。
【図４ｂ】カバーがバッテリ・ハウジング内の所定の位置にある、図４ａと同様の図である。
【図５】本発明の代替的な実施形態による、図４ａと同様の図である。
【符号の説明】
【００７７】
２：基部、３：ハウジング、４：開孔、５：舌状部、６：底部、７：近接部、９；曲がり部分、１０：面取り部、１１：末端部、１２：肩部、１３：Ｏリング・ジョイント、１４：カバー、１５：壁面、１６：溝、１８：隆起部分、１９：ノッチ、３０：プレート
【図２】
2004200171.tif 000003
【図３】
2004200171.tif 000004
【図４ａ】
2004200171.tif 000005
【図４ｂ】
2004200171.tif 000006
【図５】
2004200171.tif 000007
【図１】
2004200171.tif 000008